(57)【要約】【課題】歩行者の踏み込み時の上下動や振動等により、デッドボルトが解錠することがなく、信頼性が高く、しかも容易に操作することができるようにした開閉体用ロック装置を提供する。【解決手段】ロックケース１８と、ロックケース１８のデッドボルト突出孔２８より突出して、先端が枠体５に設けた受孔２９に係合する施錠位置と、受孔２９から離脱するまで退避した解錠位置とに移動可能としてロックケース１８内に設けられたデッドボルト２６と、一部がデッドボルト２６の回動軌跡内に位置して、デッドボルト２６の少なくとも施錠位置から解錠位置への移動を阻止する係止位置と、デッドボルト２６の移動軌跡から退避した係止解除位置とに移動可能として、ロックケース１８に設けられたロックピン３５とを備えるものとする。【選択図】  図３
2015045135.tif 000002
【特許請求の範囲】
【請求項１】
枠体に開閉自在に装着された開閉体と前記枠体とのいずれか一方に設けられ、かついずれか他方に設けた受孔にデッドボルトが係合することにより、前記開閉体を閉止位置に保持するようにした開閉体用ロック装置において、
側面にデッドボルト突出孔が設けられたロックケースと、
一部が前記ロックケースのデッドボルト突出孔より突出して、前記受孔に係合する施錠位置と、前記一部が前記受孔から離脱するまで退避した解錠位置とに移動可能として前記ロックケース内に設けられたデッドボルトと、
前記デッドボルトを、施錠位置から解錠位置、およびその逆方向に移動させる操作手段と、
一部が前記デッドボルトの移動軌跡内に位置して、前記デッドボルトの少なくとも施錠位置から解錠位置への移動を阻止する係止位置と、前記一部が前記デッドボルトの移動軌跡から退避して、前記デッドボルトの移動を許容する係止解除位置とに移動可能として、前記ロックケースに設けられた規制手段
とを備えることを特徴とする開閉体用ロック装置。
【請求項２】
規制手段が、ロックケースの上面に設けたロックピン挿通孔を挿通し、下端部がデッドボルトの移動軌跡内に進退するようにしたロックピンを備えるものとした請求項１記載の開閉体用ロック装置。
【請求項３】
ロックケースの上面に平面視非円形の凹部を設け、この凹部の底面にロックピン挿通孔の上端を開口させ、前記ロックピン挿通孔に挿通させたロックピンにおける軸部の上端に、前記凹部内に嵌合しうるとともに、向きを変えることにより、下面の一部がロックケースの上面に当接して、前記凹部内への嵌合を阻止するようにした拡大頭部を設け、この拡大頭部が前記凹部に嵌合することにより、軸部の下端部がデッドボルトの移動軌跡内に進入して、ロックピンが係止位置に位置し、かつ前記拡大頭部の下面の一部がロックケースの上面に当接して停止することにより、軸部の下端部がデッドボルトの移動軌跡から退避して、ロックピンが係止解除位置に位置するようにした請求項２記載の開閉体用ロック装置。
【請求項４】
ロックピンの軸部の中間部に設けたばね受けと、ロックケースの上面を形成する蓋板の下面との間に、圧縮コイルばねを縮設し、前記軸部を係止位置に向けて常時付勢するようにした請求項３記載の開閉体用ロック装置。
【請求項５】
操作手段が、ロックケースの上面に設けたハンドル挿入孔に先端部を挿入して回動させることにより、回動式としたデッドボルトを施錠位置から解錠位置、およびその逆方向に回動しうるようにした着脱式の操作ハンドルを備えるものとした請求項１〜４のいずれかに記載の開閉体用ロック装置。
【請求項６】
操作ハンドルの一部に、凹部に嵌合したロックピンの拡大頭部の下面に潜入させて、拡大頭部を持ち上げ易くする先尖状の補助具を設けた請求項３または４を引用する請求項５記載の開閉体用ロック装置。
【発明の詳細な説明】
【技術分野】
【０００１】
本願発明は、防水板(防水扉、防潮板、止水板等を含む)、マンホールの蓋、床下収納庫の蓋、ＯＡフロアの開閉式床板等の開閉体に使用するのに好適な開閉体用ロック装置に関する。
【背景技術】
【０００２】
建物の開口部の床面等に設けられ、平常時はほぼ水平状態で床面の一部として使用されるが、洪水等の緊急時には、起立させて建物の開口部を閉塞し、洪水の水が建物内に侵入するのを防止するようにした防水板(例えば特許文献１または２参照)においては、手動操作により、防水板(止水板)を起立させるための回転取っ手を設けたものがある(例えば特許文献３参照)。
【０００３】
このような防水板においては、防水板が不用意に開いたり、いたずら等により起立させられたりするのを防止するため、例えば特許文献４に示されているようなデッドボルト式のロック装置を設けて、防水板を閉止状態でロックすることが考えられる。
【先行技術文献】
【特許文献】
【０００４】
【特許文献１】特開平１０−２３８２４０号公報
【特許文献２】特開平１０−２４６０７４号公報
【特許文献３】特開２００８−１３３７０８号公報
【特許文献４】特開２００８−３０３６１４号公報
【発明の概要】
【発明が解決しようとする課題】
【０００５】
しかし、防水板にデッドボルト式のロック装置を設けただけでは、施錠状態において、防水板上を通行する歩行者の踏み込みやその他の振動等により、デッドボルトが解錠方向にずれ動いて、ロック装置が不用意に解錠し、防水板が開いてしまうというおそれがある。
【０００６】
本発明は、従来の技術が有する上記のような問題点に鑑み、歩行者の踏み込み時の上下動や振動等により、デッドボルトが解錠することがなく、信頼性が高く、しかも容易に操作することができるようにした開閉体用ロック装置を提供することを目的としている。
【課題を解決するための手段】
【０００７】
本発明によると、上記課題は、次のようにして解決される。
(１)  枠体に開閉自在に装着された開閉体と前記枠体とのいずれか一方に設けられ、かついずれか他方に設けた受孔にデッドボルトが係合することにより、前記開閉体を閉止位置に保持するようにした開閉体用ロック装置において、側面にデッドボルト突出孔が設けられたロックケースと、一部が前記ロックケースのデッドボルト突出孔より突出して、前記受孔に係合する施錠位置と、前記一部が前記受孔から離脱するまで退避した解錠位置とに移動可能として前記ロックケース内に設けられたデッドボルトと、前記デッドボルトを、施錠位置から解錠位置、およびその逆方向に移動させる操作手段と、一部が前記デッドボルトの移動軌跡内に位置して、前記デッドボルトの少なくとも施錠位置から解錠位置への移動を阻止する係止位置と、前記一部が前記デッドボルトの移動軌跡から退避して、前記デッドボルトの移動を許容する係止解除位置とに移動可能として、前記ロックケースに設けられた規制手段とを備えるものとする。
【０００８】
このような構成によると、開閉体が閉止位置に位置している状態で、デッドボルトを施錠位置とし、かつ規制手段を係止位置としておくことにより、施錠位置としたデッドボルトの一部が受孔に係合して、開閉体は閉止位置に確実に保持され、しかも、係止位置とした規制手段により、デッドボルトは施錠位置から解錠位置方向への移動が阻止されるので、開閉体やロック装置上を歩行者が通行しても、歩行者の踏み込み時の上下動や振動等によっても、デッドボルトが解錠位置方向に不用意に移動することはなく、施錠時の信頼性を高めることができる。
また、規制手段を係止解除位置に移動させることにより、操作手段によって、デッドボルトを施錠位置から解錠位置へ自由に移動させることができ、容易に操作することができる。
【０００９】
(２)  上記(１)項において、規制手段が、ロックケースの上面に設けたロックピン挿通孔を挿通し、下端部がデッドボルトの移動軌跡内に進退するようにしたロックピンを備えるものとする。
【００１０】
このような構成によると、ロックピンを、ロックケースの上面に設けたロックピン挿通孔に挿入するだけで、デッドボルトの施錠位置から解錠位置方向への移動を簡単に阻止することができ、規制手段の構成を簡素化することができる。
【００１１】
(３)  上記(２)項において、ロックケースの上面に平面視非円形の凹部を設け、この凹部の底面にロックピン挿通孔の上端を開口させ、前記ロックピン挿通孔に挿通させたロックピンにおける軸部の上端に、前記凹部内に嵌合しうるとともに、向きを変えることにより、下面の一部がロックケースの上面に当接して、前記凹部内への嵌合を阻止するようにした拡大頭部を設け、この拡大頭部が前記凹部に嵌合することにより、軸部の下端部がデッドボルトの移動軌跡内に進入して、ロックピンが係止位置に位置し、かつ前記拡大頭部の下面の一部がロックケースの上面に当接して停止することにより、軸部の下端部がデッドボルトの移動軌跡から退避して、ロックピンが係止解除位置に位置するようにする。
【００１２】
このような構成によると、ロックピンの拡大頭部をロックケースの上面における凹部に嵌合させておくことにより、ロックピンを施錠位置に保持しておくことができ、その状態から、拡大頭部を凹部から引き上げて、向きを変えて、その下面をロックケースの上面に当接させることによって、ロックピンを係止解除位置に保持することができ、操作性がよい。
また、拡大頭部が凹部に嵌合しているか、または向きを変えて、凹部上に載置されているかを視認するだけで、ロックピンが係止位置にあるか、係止解除位置にあるかを簡単に知ることができ、使い勝手がよい。
【００１３】
(４)  上記(３)項において、ロックピンの軸部の中間部に設けたばね受けと、ロックケースの上面を形成する蓋板の下面との間に、圧縮コイルばねを縮設し、前記軸部を係止位置に向けて常時付勢するようにする。
【００１４】
このような構成によると、ロックピンは、圧縮コイルばねにより、係止位置に向けて常時付勢されているので、歩行者の踏み込み時の振動等により、係止解除位置に向かって浮き上がるのが防止され、施錠時の信頼性をさらに高めることができる。
【００１５】
(５)上記(１)〜(４)項のいずれかにおいて、操作手段が、ロックケースの上面に設けたハンドル挿入孔に先端部を挿入して回動させることにより、回動式としたデッドボルトを施錠位置から解錠位置、およびその逆方向に回動しうるようにした着脱式の操作ハンドルを備えるものとする。
【００１６】
このような構成によると、非操作時は、操作ハンドルをロックケースから外しておくことにより、ロック装置がいたずらされるおそれがなく、操作時には、操作ハンドルの先端部をロックケースの上面に設けたハンドル挿入孔に挿入して回動させるだけでよいので、操作性もよい。
【００１７】
(６)上記(３)または(４)を引用する上記(５)項において、操作ハンドルの一部に、凹部に嵌合したロックピンの拡大頭部の下面に潜入させて、拡大頭部を持ち上げ易くする先尖状の補助具を設ける。
【００１８】
このような構成によると、操作ハンドルの補助具を、ロックピンの拡大頭部の下面に潜入させて、拡大頭部を簡単に持ち上げることができ、操作性を高めることができ、しかも、補助具は、操作ハンドルの一部に設けられているので、補助具が紛失するおそれをなくすことができる。
【発明の効果】
【００１９】
本発明によると、歩行者の踏み込み時の上下動や振動等により、デッドボルトが解錠することがなく、信頼性が高く、しかも容易に操作することができるようにした開閉体用ロック装置を提供することができる。
【図面の簡単な説明】
【００２０】
【図１】本発明の開閉体用ロック装置の一実施形態を備える防水板装置を設けた建物の開口部床面の一部を破断した平面図である。
【図２】図１のII−II線に沿う拡大縦断側面図である。
【図３】開閉体用ロック装置を設けた部分の拡大平面図である。
【図４】図３のIV−IV線に沿う拡大縦断側面図である。
【図５】図３のV−V線に沿う拡大縦断正面図である。
【図６】ロックピンを係止解除位置としたときの図５と同様の部分の縦断正面図である。
【図７】図５のVII−VII線に沿う拡大縦断正面図である。
【発明を実施するための形態】
【００２１】
以下、本発明の開閉体用ロック装置の一実施形態を防水板装置に設けたときの一例について、図面を参照して説明する。
図１および図２に示すように、建物の開口部１を形成する左右１対の支柱２、２間の床面３に方形の凹部４を設け、この凹部４内に設けた上面が開口する箱状の枠体５内に、開閉体である防水板６を、図２に実線で示すほぼ水平の倒伏位置と、同じく２点鎖線で示すように、左右の支柱２、２の前面に設けたパッキン７に密接する起立位置とに起伏可能(開閉可能)として装着し、防水板６の遊端部(閉止時の前端部)の左右方向の中央部上面に、本発明の開閉体用ロック装置(以下、単にロック装置という)８を設けてある。
【００２２】
防水板６は、開閉体の一例であって、その開閉機構は、本発明に直接関係しないので、簡単に説明する。
枠体５内の後部の中央部と両側部とには、ヒンジ装置９が設けられている。
各ヒンジ装置９は、枠体５における底板５ａの上面に立設された固定側ヒンジ片１０と、それに対応する防水板６の下面より垂下する可動側ヒンジ片１１と、それらを左右方向に貫通する枢軸１２とからなっている。
なお、このヒンジ装置９は、上記特許文献１および２に記載されているヒンジ装置のように、左右方向を向く軸線回りに回動できるだけでなく、起立状態で若干前後方向にも移動できるようなものとすることもある。
【００２３】
枠体５内には、防水板６を起立位置に向かって付勢する左右１対のねじりコイルばね１３、１３と、左右１対の伸張式のダンパ１４、１４とが設けられ、防水板６を起立位置まで開く際の労力を軽減しうるとともに、倒伏位置への回動を減速しうるようにしてある。
【００２４】
各ねじりコイルばね１３は、枠体５内に設けた巻取ドラム１５に巻回された巻回部１３ａと、そこから前方に向かって延出し、かつ先端部が枠体５における底板５ａに当接された一方の端末部１３ｂと、巻回部１３ａから前方に向かって延出し、かつ先端部が防水板６の下面に当接された他方の端末部１３ｃとからなっている。
【００２５】
各ダンパ１４は、伸張する習性を備えた公知のオイルダンパまたはエアダンパとすることができ、その一端が防水板６の前部下面に枢着され、かつ他端が枠体５の底板５ａにおける後部上面に枢着されている。
【００２６】
次に、ロック装置８について説明する。
図２〜図７に示すように、ロック装置８は、上面が開口する方形の箱状のケース本体１６と、その上面開口部を閉塞する蓋板１７とからなるロックケース１８を備えている。
【００２７】
蓋板１７におけるほぼ中央部には、シリンダ錠１９が設けられている。
シリンダ錠１９は、上面中央に設けたハンドル挿入孔２０に、図４に示すような操作手段である操作ハンドル２１の軸部２２の先端部を挿入して、軸部２２を回動させることにより、内部に設けたロータ(図示略)を軸部２２とともに所要角度回動しうるようにしたものである。
【００２８】
操作ハンドル２１は、上下方向を向く丸棒状の軸部２２の上端に、取っ手２３がほぼＴ字状をなすように連設されたものよりなり、軸部２２の下端部外周には、１対の突部２４、２４が側面視ほぼ倒立Ｔ字状をなすように突設されている。
【００２９】
シリンダ錠１９のハンドル挿入孔２０は、操作ハンドル２１の軸部２２の先端部における突部２４、２４がある部分の外形に補形をなすように形成されており、このハンドル挿入孔２０に、軸部２２の先端部を、突部２４、２４を含めて挿入した後、適宜の角度、好ましくは９０°だけ回動させた後、操作ハンドル２１の取っ手２３を引き上げることにより、防水板６を持ち上げることができるようになっている。
【００３０】
シリンダ錠１９の下端からは、内部のロータと一体となって回動する角軸部２５ａ(図５〜図７)を有する回動軸２５が下向きに突出しており、角軸部２５ａには、デッドボルト２６の基端部に設けた角孔２７が嵌合されている。
【００３１】
デッドボルト２６は、平板状をなし、図３に破線で示すように、先端部がケース本体１６の前面に設けたデッドボルト突出孔２８より前方に突出し、かつ枠体５における前壁５ｂの上部に設けた受孔２９に係合する施錠位置と、図３に２点鎖線で示すように、先端部が受孔２９から離脱するまでロックケース１８内に退避した解錠位置とに、回動軸２５およびロータと一体となって、回動軸２５の軸線を中心として、ほぼ９０°の範囲内において回動しうるようになっている。
【００３２】
デッドボルト２６とロータおよび操作ハンドル２１との関係は、デッドボルト２６が施錠位置に位置しているとき、操作ハンドル２１の軸部２２の先端部をシリンダ錠１９のハンドル挿入孔２０に挿脱することができ、軸部２２の先端部をハンドル挿入孔２０に挿入して、ほぼ９０°だけ、図３における時計回りに回動させることにより、デッドボルト２６を解錠位置まで回動させることができるようになっている。
【００３３】
したがって、操作ハンドル２１の軸部２２の先端部をシリンダ錠１９のハンドル挿入孔２０に挿入して、ほぼ９０°だけ、図３における時計回りに回動させ、デッドボルト２６を解錠位置まで回動させ、解錠状態とした後、操作ハンドル２１を引き上げて、防水板６を、倒伏位置から起立位置まで容易に開くことができる。
【００３４】
また、防水板６を、起立位置から倒伏位置まで倒伏させた後、操作ハンドル２１を、図３における時計回りに９０°だけ回動させて、デッドボルト２６を施錠位置とし、その先端部を受孔２９に係合させて、防水板６を施錠状態とし、その後、操作ハンドル２１を持ち上げることにより、操作ハンドル２１をシリンダ錠１９から簡単に外すことができる。
【００３５】
このような施錠状態において、歩行者が防水板６上やロック装置８上を通行すると、そのときの振動により、デッドボルト２６が、ロータとともに、施錠位置から解錠位置方向に徐々に回動し、最後には、デッドボルト２６の先端部が受孔２９から外れて、防水板６が不用意に開いたり、いたずらされたりするおそれが生じる。
【００３６】
そこで、本発明においては、デッドボルト２６が施錠位置に位置している状態から、解錠位置方向に不用意に回動するのを防止する規制手段３０を設けてある。
【００３７】
この規制手段３０は、ロックケース１８の蓋板１７の上面におけるシリンダ錠１９の近傍に設けた左右方向に長い方形(または非円形)の凹部３１と、この凹部３１の底面３１ａにおける一方の側端部寄りに設けた上下方向を向くロックピン挿通孔３２と、このロックピン挿通孔３２に挿通させた軸部３３の上端に、特定の向きとすることにより、凹部３１内に嵌合し、他の向きとすることにより、下面の一部がロックケース１８の蓋板１７の上面に当接して、凹部３１内への嵌合を阻止するようにした拡大頭部３４を連設したロックピン３５とを備えている。
【００３８】
凹部３１の深さは、デッドボルト２６の厚さより大としてある。
また、ロックピン３５の軸部３３の長さは、拡大頭部３４が凹部３１に嵌合したときは、軸部３３の下端部がデッドボルト２６の移動軌跡内に進入し(図５および図７参照)、拡大頭部３４の下面の一部が蓋板１７の上面に当接して停止したときは、軸部３３の下端部がデッドボルト２６の回動軌跡から上方に退避する(図６参照)ような関係としてある。
【００３９】
したがって、ロックピン３５を、拡大頭部３４が凹部３１に嵌合した係止位置としているときは、軸部３３の下端部が、デッドボルト２６の移動軌跡内に進入して、デッドボルト２６の施錠位置から解錠位置への回動が阻止され、拡大頭部３４の下面の一部が蓋板１７の上面に当接して停止した係止解除位置としたときは、軸部３３の下端部がデッドボルト２６の回動軌跡から上方に退避して、デッドボルト２６の施錠位置から解錠位置、およびその逆方向への回動が許容される。
【００４０】
ロックピン３５における軸部３３の下端部近傍には、ばね受け３６が支着されており、このばね受け３６と、ロックケース１８の蓋板１７の下面との間における軸部３３まわりに、圧縮コイルばね３７を縮設することにより、ロックピン３５は、下方、すなわち係止位置方向に向かって常時付勢されている。
そうすることによって、歩行者の踏み込み時の振動等により、ロックピン３５が係止解除位置に向かって浮き上がるのが防止され、施錠時の信頼性がさらに高められる。
【００４１】
図５に示すように、係止位置としたときのロックピン３５における拡大頭部３４の遊端部と、凹部３１の一方の側縁との間には、手の指先を挿入しうる程度の空間が形成されており、この空間に指先を挿入して、ロックピン３５の拡大頭部３４を係止解除位置まで持ち上げることができるようになっている。
【００４２】
このときの操作を容易にするため、拡大頭部３４の遊端部の下縁には、外上方に傾斜する面取り状の切り欠き３４ａを設けておくのがよい。
【００４３】
また、図４に示すように、操作ハンドル２１における取っ手２３の一方の端部を斜め下方に湾曲させるとともに、その先端部を、先尖状として、凹部３１に嵌合したロックピン３５の拡大頭部３４の切り欠き３４ａから拡大頭部３４の下面に潜入させて、拡大頭部３４を持ち上げ易くするための補助具２３ａとするのが好ましい。
【００４４】
本発明の開閉体用ロック装置８は、上記のような構成としてあるので、開閉体である防水板６が、閉止位置である倒伏位置に位置している状態で、デッドボルト２６を施錠位置とし、かつ規制手段３０を係止位置としておくことにより、施錠位置としたデッドボルト２６の一部が受孔２９に係合して、防水板６は倒伏位置に確実に保持され、しかも、係止位置とした規制手段３０により、デッドボルト２６は施錠位置から解錠位置方向への移動が阻止されるので、防水板６やロック装置８上を歩行者が通行しても、歩行者の踏み込み時の上下動や振動等により、デッドボルト２６が解錠位置方向に不用意に移動することはなく、施錠時の信頼性を高めることができる。
また、規制手段３０を係止解除位置に移動させることにより、操作手段である操作ハンドル２１によって、デッドボルト２６を施錠位置から解錠位置へ自由に移動させることができ、容易に操作することができる。
【００４５】
本発明は、上記実施形態のみに限定されるものではなく、特許請求の範囲を逸脱しない範囲内で、例えば次のような変形した態様での実施が可能である。
(１)  枠体５にロック装置８を設け、開閉体である防水板６に、受孔２９を設ける。
(２)  デッドボルト２６が解錠位置に位置している状態においても、ロックピン３５を係止位置とすることができ、その状態では、デッドボルト２６の解錠位置から施錠位置への回動がロックピン３５により阻止されるようにする。
(３)  ロックピン３５を、軸部３３の上端に、拡大頭部３４の中央部が連設されたＴ字状のものとし、凹部３１の底面３１ａの左右方向の中央部にロックピン挿通孔３２を設け、さらに、係止位置としたときの拡大頭部３４の左右両端と凹部３１の側端との間に、空隙をそれぞれ形成し、両空隙に挿入した２本の指先をもって、拡大頭部３４を両側方より掴めるようにする。
(４)  デッドボルト２６を、上記のような回動式のものではなく、直線方向に進退して、施錠位置と解錠位置との間を移動しうるものとする。
この場合は、ロックピン３５は、デッドボルト２６に設けた係合孔や突起(いずれも図示略)に係脱するものとすることができる。
【産業上の利用可能性】
【００４６】
上記実施形態は、本発明を起倒式の防水板６を開閉体とし、この防水板６と枠体５とのいずれか一方にロック装置８を設け、他方に受孔２９を設けたが、本発明は、これに限られるものではなく、例えば開閉体を、マンホールの蓋、床下収納庫の蓋、ＯＡフロアの開閉式床板等とし、それと、それを開閉自在に装着した枠体とのいずれか一方にロック装置８を設け、他方に受孔２９を設けて実施することもできる。
【符号の説明】
【００４７】
１  開口部
２  支柱
３  床面
４  凹部
５  枠体
５ａ底板
５ｂ前壁
６  防水板(開閉体)
７  パッキン
８  開閉体用ロック装置
９  ヒンジ装置
１０  固定側ヒンジ片
１１  可動側ヒンジ片
１２  枢軸
１３  ねじりコイルばね
１３ａ巻回部
１３ｂ、１３ｃ  端末部
１４  ダンパ
１５  巻取ドラム
１６  ケース本体
１７  蓋板
１８  ロックケース
１９  シリンダ錠
２０  ハンドル挿入孔
２１  操作ハンドル(操作手段)
２２  軸部
２３  取っ手
２３ａ補助具
２４  突部
２５  回動軸
２５ａ角軸部
２６  デッドボルト
２７  角孔
２８  デッドボルト突出孔
２９  受孔
３０  規制手段
３１  凹部
３１ａ底面
３２  ロックピン挿通孔
３３  軸部
３４  拡大頭部
３４ａ切り欠き
３５  ロックピン
３６  ばね受け
３７  圧縮コイルばね
【図１】
2015045135.tif 000003
【図２】
2015045135.tif 000004
【図３】
2015045135.tif 000005
【図４】
2015045135.tif 000006
【図５】
2015045135.tif 000007
【図６】
2015045135.tif 000008
【図７】
2015045135.tif 000009